(57)【要約】【課題】以前に選局したチャンネルを遡って選局することが出来るテレビジョン受信機の選局方法を提供することを目的とする。【解決手段】本発明のテレビジョン受信機の選局を行う選局装置１は、外部操作により任意のチャンネルを指定する選局手段２と、選局されたチャンネルについての情報を逐次記憶する記憶手段４と、外部操作を受けて前記記憶手段４を参照し、１つ前に指定したチャンネルを選局する戻る操作手段３と、を備える。【選択図】図１
2011071667.tif 000002
【特許請求の範囲】
【請求項１】
外部操作により任意のチャンネルを指定する選局手段と、
選局されたチャンネルについての情報を逐次記憶する記憶手段と、
外部操作を受けて前記記憶手段を参照し、１つ前に指定したチャンネルを選局する戻る操作手段と、を備えたテレビジョン受信機の選局装置。
【請求項２】
前記戻る操作部により１つ前に指定したチャンネルを選局した場合、外部操作を受けて前記記憶手段を参照し、現在のチャンネルより１つ後に指定したチャンネルを選局する進む操作手段をさらに備えることを特徴とする、請求項１に記載のテレビジョン受信機の選局装置。
【請求項３】
前記戻る操作手段及び前記進む操作手段及び前記記憶手段は、テレビジョン受信機本体に対して遠隔操作が可能なリモートコントローラ又はテレビジョン受信機本体に設置されることを特徴とする、請求項２に記載のテレビジョン受信機の選局装置。
【請求項４】
（ａ）第１の外部操作により選局したチャンネルについての情報を逐次記憶する工程と、
（ｂ）第２の外部操作を受け、前記チャンネルについての情報を参照し、１つ前に指定したチャンネルを選局する工程と、を備えるテレビジョン受信機の選局方法。
【請求項５】
（ｃ）前記工程（ｂ）によって以前に指定したチャンネルを選局した場合に、第３の外部操作を受け、前記チャンネルについての情報を参照し、現在のチャンネルより１つ後に指定したチャンネルを選局する工程をさらに備えた、請求項４に記載のテレビジョン受信機の選局方法。
【発明の詳細な説明】
【技術分野】
【０００１】
この発明は、テレビジョン受信機の選局装置および選局方法に関する。
【背景技術】
【０００２】
従来のテレビジョン受信機の選局方法は、リモートコントローラ（以下リモコン）に配置されたダイレクトボタンを使って初期的にプリセットされたチャンネルを直接選局する方法や、チャンネルアップ・ダウンボタンでチャンネルを順送りに選択する方法や、さらには放送に同期して送信される全チャンネルの番組情報を元にテレビジョン受信機内部で作られた電子番組表を使って、見たい番組を選択することによってチャンネルを選択する方法など様々な方法があるが、これらは常に次のチャンネルを選択することしかできない。例えば、ある番組のコマーシャルの間に別のチャンネルに移動した場合、最初に見ていたチャンネルに戻るためには元のチャンネルを覚えておいて、そのチャンネルを再度選局する必要があった。また元のチャンネルを覚えていない場合は、選局操作を繰り返して元のチャンネルを探す必要があった。
【０００３】
これに対して、リモコン装置の操作で所定時間他チャンネルを自動スキャン後、元のチャンネルに戻るようにする装置が報告されている。（例えば、特許文献１参照。）これによると、リモコンのスキャンスイッチを押すとスキャン開始を指示するリモコン入力信号が送信される。テレビタイマがその信号を受信すると、現在のチャンネル番号を記憶部に記憶する。次に、所定のスキャン間隔ごとに発光部からチャンネル順送りを指示するリモコン出力信号をテレビ受像機へ送信してチャンネルスキャンし、所定のスキャン時間を超えたらチャンネル復帰を指示するリモコン出力信号を送信する。これにより、スキャンスイッチを１度押すだけで、チャンネルがスキャンされ、所定時間後に元のチャンネルに戻すことができる。
【先行技術文献】
【特許文献】
【０００４】
【特許文献１】特開平１０−１４５６３４号公報
【発明の概要】
【発明が解決しようとする課題】
【０００５】
特許文献１に記載のリモコン装置による選局方法は、他チャンネルを自動スキャンするため、視聴者の意図する順にチャンネルを切り換えることが出来ない。また、一定時間を自動スキャンに要するため、途中でスキャンを中止することが出来ない。さらに、途中で見たい番組があってそのチャンネルに切り換えてしまうと、以前のチャンネルには戻ることが出来なくなってしまうという問題点があった。
【０００６】
本発明は、上述の問題点に鑑み、以前に選局したチャンネルを遡って表示させることが可能な、テレビジョン受信機の選局方法を提供することを目的とする。
【課題を解決するための手段】
【０００７】
本発明の選局装置は、テレビジョン受信機の選局を行う選局装置であって、外部操作により任意のチャンネルを指定する選局手段と、選局されたチャンネルについての情報を逐次記憶する記憶手段と、外部操作を受けて前記記憶手段を参照し、１つ前に指定したチャンネルを選局する戻る操作手段と、を備える。
【０００８】
また、本発明のテレビジョン受信機の選局方法は、（ａ）第１の外部操作により選局したチャンネルについての情報を逐次記憶する工程と、（ｂ）第２の外部操作を受け、前記チャンネルについての情報を参照し、１つ前に指定したチャンネルを選局する工程と、を備える。
【発明の効果】
【０００９】
本発明の選局装置は、テレビジョン受信機の選局を行う選局装置であって、外部操作により任意のチャンネルを指定する選局手段２と、選局されたチャンネルについての情報を逐次記憶する記憶手段と、外部操作を受けて前記記憶手段を参照し、１つ前に指定したチャンネルを選局する戻る操作手段と、を備える。これにより、以前に選局したチャンネルに時系列に遡って素早く戻ることが出来る。
【００１０】
また、本発明のテレビジョン受信機の選局方法は、（ａ）第１の外部操作により選局したチャンネルについての情報を逐次記憶する工程と、（ｂ）第２の外部操作を受け、前記チャンネルについての情報を参照し、１つ前に指定したチャンネルを選局する工程と、を備える。これにより、以前に選局したチャンネルに時系列に遡って素早く戻ることが出来る。
【図面の簡単な説明】
【００１１】
【図１】実施の形態１の選局装置の構成を示すブロック図である。
【図２】実施の形態１のテレビジョン受信機の選局方法のフローチャートである。
【図３】実施の形態１，２のテレビジョン受信機の選局方法の概念を示す図である。
【図４】実施の形態２の選局装置の構成を示すブロック図である。
【図５】実施の形態２のテレビジョン受信機の選局方法のフローチャートである。
【発明を実施するための形態】
【００１２】
（実施の形態１）
＜構成＞
図１は、本実施の形態のテレビジョン受信機の選局装置の構成を示すブロック図である。選局装置１は、テレビジョン受信機の選局を行う選局手段２と、戻る操作手段３、記憶手段４を備える。
【００１３】
選局手段２は、ユーザーの操作に応じて通常の選局動作を行う手段である。戻る操作手段３も、ユーザーの操作を受けて選局動作を行うが、以前に選局したチャンネルを順に遡って表示させるための手段である。選局手段２及び戻る操作手段３は、テレビジョン受信機本体や、あるいは本体に対して遠隔操作が可能なリモートコントローラ上に設置されたボタン等によってユーザーの操作を受け付ける。以下、戻る操作手段３を戻るボタンともいう。記憶手段４は、選局したチャンネルについての情報を記憶する手段である。記憶手段４は、テレビジョン受信機本体や、あるいは上記リモートコントローラ上に設置される。
【００１４】
＜動作＞
次に、図２に沿って、選局装置１の動作を説明する。図２は、選局装置１の動作を示すフローチャートである。まず、ユーザーが戻るボタン３を操作せず（ステップＳ１においてＮ）、チャンネルを指定して選局する通常の選局操作を行った場合（ステップＳ２においてＹ）、選局装置１は指定されたチャンネルを選局し、テレビジョン受信機の表示画面は新しいチャンネルを表示する（ステップＳ３）。その後、選局装置１の記憶手段４は保存アドレスを＋１し（ステップＳ４）、チャンネル情報を保存アドレスに記録する（ステップＳ５）。ユーザーが選局操作を繰り返す度に以上の動作が繰り返される結果、記憶手段４にはこれまでユーザーが選局したチャンネルの情報が記憶されることになる。
【００１５】
ところで、本実施の形態の選局装置１では、戻るボタン３を備えており、ユーザーは戻るボタン３を操作することにより、これまで選局したチャンネルに戻ることが出来る。すなわち、ユーザーが戻るボタン３を１度操作すると（ステップＳ１においてＹ）、記憶手段４は保存アドレスを−１し（ステップＳ６）、保存アドレスのチャンネル情報を読み出して選局、テレビジョン受信機の表示画面に当該選局されたチャンネルを表示する（ステップＳ７）。記憶手段４にはこれまでユーザーが選局したチャンネル情報が保存アドレス毎に記憶されているため、以上の動作によりユーザーが１つ前に選局していたチャンネルに戻ることが出来る。さらにユーザーが戻るボタン３を操作すると、さらに前のチャンネルに戻ることが出来る。
【００１６】
一般的に、ユーザーは通常の選局操作を繰り返して行うものと考えられるが、例えばコマーシャル（ＣＭ）になったときに、別のチャンネルを選局することが考えられる。この場合、選局装置１は新しいチャンネルを選局し、テレビジョン受信機の表示画面には新しいチャンネルが表示される（ステップＳ３）。そして、記憶手段４は保存アドレスを＋１し（ステップＳ４）、チャンネル情報を保存アドレスに記憶する（ステップＳ５）。ＣＭが終わる頃にユーザーが先程見ていた番組に戻ろうとした場合、戻るボタン３を操作すると（ステップＳ１）、記憶手段４は保存アドレスを１つ戻し（ステップＳ６）、選局手段１は保存アドレスに格納されているチャンネル情報を読み出してそのチャンネルを選局、テレビジョン受信機の表示画面に表示する（ステップＳ７）。こうして、元々視聴していた番組に素早く復帰することが出来る。
【００１７】
すなわち、実施の形態１の選局装置１は、テレビジョン受信機の選局を行う選局装置であって、外部操作により任意のチャンネルを指定する選局手段２と、選局されたチャンネルについての情報を逐次記憶する記憶手段４と、外部操作を受けて記憶手段４を参照し、１つ前に指定したチャンネルを選局する戻る操作手段３と、を備える。このように、本実施の形態の選局装置１では、戻るボタン３を備えたことにより、以前に選局していたチャンネルに時系列に遡って素早く戻ることが出来る。
【００１８】
また、実施の形態１のテレビジョン受信機の選局方法は、（ａ）第１の外部操作（通常の選局操作）により選局したチャンネルについての情報を逐次記憶する工程と、（ｂ）第２の外部操作（戻る操作）を受け、当該チャンネルについての情報を参照し、１つ前に指定したチャンネルを選局する工程と、を備える。これにより、以前に選局していたチャンネルに時系列に遡って素早く戻ることが出来る。
【００１９】
図３は、記憶手段４のアドレスとデータとしてのチャンネル情報で選局の流れを表した図である。通常の選局操作をｎ回実施した状態を図３（ａ）に示す。保存アドレスｎ−５からｎにかけて、ＡからＦというデータがチャンネル情報として書き込まれているものとする。すなわち、直近の６回は異なったチャンネルが選局されており、現在の現在の状態は保存アドレスがｎで視聴チャンネルはＦである。
【００２０】
ここで戻るボタンを１回操作した時、保存アドレスは１つ戻るのでｎ−１となり、チャンネル情報はそのデータからＥが読み出され、Ｅのチャンネルが選局、表示される。同様に合計３回戻るボタン３を連続して操作した場合の保存アドレスとチャンネル情報の状態は、図３（ｂ）に示すように保存アドレスはｎ−３、チャンネルはＣである。さらに戻るボタン３を操作すると、図３（ｃ）に示すように保存アドレスはｎ−４、チャンネルはＢとなる。図３（ｄ），（ｅ）については実施の形態２において説明する。
【００２１】
＜効果＞
実施の形態１の選局装置１によれば、既に述べた通り以下の効果を奏する。すなわち、本実施の形態の選局装置は、テレビジョン受信機の選局を行う選局装置であって、外部操作により任意のチャンネルを指定する選局手段２と、選局されたチャンネルについての情報を逐次記憶する記憶手段４と、外部操作を受けて記憶手段４を参照し、１つ前に指定したチャンネルを選局する戻る操作手段３と、を備える。このように、本実施の形態の選局装置１では、戻るボタン３を備えたことにより、以前に選局していたチャンネルに素早く戻ることが出来る。
【００２２】
また、実施の形態１のテレビジョン受信機の選局方法によれば、によれば、既に述べた通り以下の効果を奏する。すなわち、本実施の形態のテレビジョン受信機の選局方法は、（ａ）第１の外部操作（通常の選局操作）により選局したチャンネルについての情報を逐次記憶する工程と、（ｂ）第２の外部操作（戻る操作）を受け、当該チャンネルについての情報を参照し、１つ前に指定したチャンネルを選局する工程と、を備える。これにより、以前に選局していたチャンネルに素早く戻ることが出来る。
【００２３】
（実施の形態２）
＜構成＞
図４は、本実施の形態の選局装置の構成を示すブロック図である。本実施の形態の選局装置１１は、実施の形態１の選局装置に進む操作手段５を加えたものである。進む操作手段５は、ユーザーの操作を受けて選局動作を行うが、戻るボタン３で以前選局していたチャンネルに戻った後に、現在のチャンネルより後に選局したチャンネルに再度進めて表示させるための手段である。進む操作手段は、テレビジョン受信機本体や、あるいは本体に対して遠隔操作が可能なリモートコントローラ上に設置されたボタン等によってユーザーの操作を受け付ける。以下、進む操作手段５を進むボタン５ともいう。
【００２４】
＜動作＞
次に、図５に沿って、選局装置１１の動作を説明する。図５は、選局装置１１の動作を示すフローチャートである。実施の形態１の選局装置１と重複する部分の説明は省略する。ユーザーが進むボタン５を操作すると（ステップＳ８においてＹ）、記憶手段４は保存アドレスを＋１し（ステップＳ９）、保存アドレスのチャンネル情報を読み出して選局、テレビジョン受信機の表示画面に当該選局されたチャンネルを表示する（ステップＳ７）。記憶手段４にはこれまでユーザーが選局したチャンネル情報が保存アドレス毎に記憶されており、ユーザーが戻るボタン３の操作により以前選局していたチャンネルに戻っていた場合、進むボタン５の操作によって、現在のチャンネルより後に選局したチャンネルを再度表示することが出来る。
【００２５】
すなわち、実施の形態２の選局装置１１は、戻る操作部３により１つ前に指定したチャンネルを選局した場合、外部操作を受けて記憶手段４を参照し、現在のチャンネルより１つ後に指定したチャンネルを選局する進む操作手段５をさらに備える。ユーザーはこのように戻るボタン３と進むボタン５を操作することにより、過去に選局したチャンネルを自由に参照することができる。
【００２６】
また、戻る操作手段３及び進む操作手段５及び記憶手段４は、テレビジョン受信機本体に対して遠隔操作が可能なリモートコントローラ又はテレビジョン受信機本体に設置されることを特徴とする。これにより、リモートコントローラあるいは本体のボタンを操作して、過去に選局したチャンネルを素早く参照することが出来る。
【００２７】
また、実施の形態２のテレビジョン受信機の選局方法は、（ｃ）以前に指定したチャンネルを選局した場合に、第３の外部操作（進む操作）を受け、選局したチャンネルについての情報を参照し、現在のチャンネルより１つ後に指定したチャンネルを選局する工程を備える。これにより、過去に選局したチャンネルを自由に参照することができる。
【００２８】
図３は、記憶手段４のアドレスとデータとしてのチャンネル情報で選局の流れを表した図である。図３（ａ）〜（ｃ）は実施の形態１で説明したが、図３（ｄ）以降は実施の形態２の選局装置１１の動作を説明する図である。図３（ｂ）では、保存アドレスがｎ−３、視聴チャンネルはＣである。図３（ｂ）の状態から進むボタンを１回操作すると、保存アドレスが１つ進んでｎ−２となり、チャンネル情報はＤが読み出され、Ｄのチャンネルが選局、表示される（図３（ｄ））。
【００２９】
なお、実際のテレビジョン受信機の選局動作は、戻るボタン３、進むボタン５の操作と通常の選局手段２による選局との組み合わせによって行われる。例えば、図３（ｃ）に示すように保存アドレスｎ−４、視聴チャンネルがＢであるとき、ユーザーは戻るボタン３や進むボタン５を操作せず、直接選局手段２によって新しくチャンネルＧを選局したとする。この場合、記憶手段４の保存アドレスｎ−３以降のデータは全てクリアされ、保存アドレスｎ−３にチャンネル情報Ｇが記憶される（図３（ｅ））。これにより、それ以降の進むボタン５の操作が禁止される。
【００３０】
＜効果＞
実施の形態２の選局装置１１によれば、既に述べた通り以下の効果を奏する。すなわち、実施の形態２の選局装置１１は、戻る操作部３により１つ前に指定したチャンネルを選局した場合、外部操作を受けて記憶手段４を参照し、現在のチャンネルより１つ後に指定したチャンネルを選局する進む操作手段５をさらに備える。ユーザーは戻るボタン３と進むボタン５を操作することにより、過去に選局したチャンネルを自由に参照することができる。
【００３１】
また、戻る操作手段３及び進む操作手段５及び記憶手段４は、テレビジョン受信機本体に対して遠隔操作が可能なリモートコントローラ又はテレビジョン受信機本体に設置されることを特徴とする。これにより、リモートコントローラあるいは本体のボタンを操作して、過去に選局したチャンネルを素早く参照することが出来る。
【００３２】
また、実施の形態２の選局方法によれば、既に述べたとおり以下の効果を奏する。すなわち、実施の形態２のテレビジョン受信機の選局方法は、（ｃ）以前に指定したチャンネルを選局した場合に、第３の外部操作（進む操作）を受け、選局したチャンネルについての情報を参照し、現在のチャンネルより１つ後に指定したチャンネルを選局する工程を備える。これにより、過去に選局したチャンネルを自由に参照することができる。
【符号の説明】
【００３３】
１，１１  選局装置、２  選局手段、３  戻る操作手段、４  記憶手段、５  進む操作手段。
【図１】
2011071667.tif 000003
【図２】
2011071667.tif 000004
【図３】
2011071667.tif 000005
【図４】
2011071667.tif 000006
【図５】
2011071667.tif 000007